(57)【特許請求の範囲】
【請求項１】
運転者による車両の運転履歴を表す履歴データを取得するように構成される取得部と、
前記取得部により取得された前記履歴データを解析して、前記運転者による特定行動の実行周期を推定するように構成される推定部と、
前記推定部により推定された実行周期に基づいて、前記運転者による前記車両の運転時における前記特定行動に関する広告の配信タイミングを決定し、前記配信タイミングに従って、配信対象の広告を、前記車両内の装置に向けて配信するように構成される配信部と、
を備え、
前記取得部は、前記車両の運転時における目的地までの移動経路を判別可能な経路データを更に取得するように構成され、
前記配信部は、決定された前記配信タイミングより所定時間前に、前記車両の現在位置と、前記経路データから判別される前記目的地までの移動経路と、に基づいて、前記配信対象の広告を決定し、前記配信対象の広告に対応する地点の位置と前記車両の現在位置とに基づいて、前記配信タイミングを修正する広告配信システム。
【請求項２】
前記配信部は、前記移動経路に沿う施設に対応する広告群の中から、配信する広告を選択することにより、前記配信対象の広告を決定する請求項１記載の広告配信システム。
【請求項３】
前記履歴データには、車両乗員の構成に関するデータが含まれ、
前記推定部は、前記運転者と共に行動する車両乗員の構成を加味して、前記運転者による前記特定行動の実行周期を推定する請求項１又は請求項２記載の広告配信システム。
【請求項４】
運転者による車両の運転履歴を表す履歴データを取得するように構成される取得部と、
前記取得部により取得された前記履歴データを解析して、前記運転者による特定行動の実行周期を推定するように構成される推定部と、
前記推定部により推定された実行周期に基づいて、前記運転者による前記車両の運転時における前記特定行動に関する広告の配信タイミングを決定し、前記広告を、前記車両内の装置に向けて配信するように構成される配信部と、
を備え、
前記履歴データには、車両乗員の構成に関するデータが含まれ、
前記推定部は、前記運転者と共に行動する車両乗員の構成を加味して、前記運転者による前記特定行動の実行周期を推定する広告配信システム。
【請求項５】
前記推定部は、前記運転者による休憩行動又は施設への立ち寄り行動の実行周期を、前記特定行動の実行周期として推定する請求項１〜請求項４のいずれか一項記載の広告配信システム。
【請求項６】
前記履歴データに基づき、前記運転者による前記車両の運転開始直後の立ち寄り行動の傾向を判定する判定部を更に備え、
前記配信部は、前記判定部により判定された傾向に基づく種類の広告を、前記運転者による運転開始時に配信する請求項１〜請求項５のいずれか一項記載の広告配信システム。
【請求項７】
前記特定行動の実行を検出する検出部を備え、
前記配信部は、前記特定行動の実行が検知された時点を基準に、前記推定された実行周期に基づく次の広告の配信タイミングを決定する請求項１〜請求項６のいずれか一項記載の広告配信システム。
【請求項８】
請求項１〜請求項７のいずれか一項記載の広告配信システムにおける取得部と、推定部と、配信部としてコンピュータを機能させるためのコンピュータプログラム。
【請求項９】
車両内の装置に広告を配信するための広告配信方法であって、
コンピュータが、
運転者による前記車両の運転履歴を表す履歴データを取得することと、
取得した前記履歴データを解析して、前記運転者による特定行動の実行周期を推定することと、
推定した前記実行周期に基づいて、前記運転者による前記車両の運転時における前記特定行動に関する広告の配信タイミングを決定することと、
前記車両の運転時における目的地までの移動経路を判別可能な経路データを取得することと、
決定された前記配信タイミングより所定時間前に、前記車両の現在位置と、取得した前記経路データから判別される前記目的地までの移動経路と、に基づいて、配信対象の広告を決定し、前記配信対象の広告に対応する地点の位置と前記車両の現在位置とに基づいて、前記配信タイミングを修正することと、
前記配信対象の広告を、前記修正された配信タイミングで、前記車両内の装置に向けて配信することと、
を含む広告配信方法。
【請求項１０】
車両内の装置に広告を配信するための広告配信方法であって、
コンピュータが、
運転者による前記車両の運転履歴を表す履歴データを取得することと、
取得した前記履歴データを解析して、前記運転者による特定行動の実行周期を推定することと、
推定した前記実行周期に基づいて、前記運転者による前記車両の運転時における前記特定行動に関する広告の配信タイミングを決定することと、
前記決定した配信タイミングで、前記広告を前記車両内の装置に向けて配信することと、
を含み、
前記履歴データには、車両乗員の構成に関するデータが含まれ、
前記推定することは、前記運転者と共に行動する車両乗員の構成を加味して、前記運転者による前記特定行動の実行周期を推定することを含む広告配信方法。
【発明の詳細な説明】
【技術分野】
【０００１】
本開示は、広告配信システム、広告配信方法、及びコンピュータプログラムに関する。
【背景技術】
【０００２】
従来、カーナビゲーション装置や携帯端末装置を通じて、移動中のユーザに対し様々な情報を提供する情報提供システムが知られている（例えば、特許文献１参照）。このシステムは、例えば、提供可能な情報のうち、ユーザの移動履歴と類似した移動履歴を有する別のユーザが過去に移動した場所や施設に関する情報を優先的にユーザに提供する。
【先行技術文献】
【特許文献】
【０００３】
【特許文献１】特開２００４−１４４５３１号公報
【発明の概要】
【発明が解決しようとする課題】
【０００４】
ところで、自動車等の車両の運転に際しては、運転に付随する休憩及び立ち寄り等の行動に関して、それぞれの運転者に傾向がある。車両内の装置に対して広告配信を行う場合には、運転者の休憩及び立ち寄り行動に注目し、関連する商品、役務や施設等の広告を配信するのが有益である。
【０００５】
しかしながら、車両移動中に、休憩及び立ち寄り行動の運転者の傾向に応じて、効果的に広告を配信する技術については、まだ知られていない。
【０００６】
そこで、本開示の一側面によれば、運転者の傾向に基づいて、車両内の装置に対して、効果的に広告を配信可能な技術を提供できることが望ましい。
【課題を解決するための手段】
【０００７】
本開示の一側面によれば、広告配信システムが提供される。この広告配信システムは、取得部と、推定部と、配信部とを備える。取得部は、運転者による車両の運転履歴を表す履歴データを取得するように構成される。
【０００８】
推定部は、取得部により取得された履歴データを解析して、運転者による特定行動の実行周期を推定するように構成される。配信部は、推定部により推定された実行周期に基づいて、運転者による車両の運転時における特定行動に関する広告の配信タイミングを決定し、広告を、車両内の装置に向けて配信するように構成される。
【０００９】
この広告配信システムによれば、運転者による特定行動の実行周期を推定して、特定行動に関する広告の配信タイミングを決定するので、運転者による運転者の傾向に基づいて、車両内の装置に対して、効果的に広告を配信することができる。
【００１０】
本開示の一側面によれば、推定部は、運転者による休憩行動又は施設への立ち寄り行動の実行周期を、特定行動の実行周期として推定するように構成されてもよい。
【００１１】
運転者による休憩行動又は施設への立ち寄り行動の実行周期を推定して、関連する広告の配信タイミングを決定する広告配信システムによれば、運転者による休憩行動及び立ち寄り行動の運転者の傾向に応じて、車両内の装置に対して、効果的に広告を配信することができる。
【００１２】
本開示の一側面によれば、配信部は、推定された実行周期に基づき、配信タイミングとして、広告の配信間隔を決定し、決定した配信間隔で、広告を配信するように構成されてもよい。運転者の周期的な行動に関連する広告を、その周期に対応する時間間隔で配信すれば、運転者の広告に対する感度が高い時期に、広告を配信することができ、高い広告効果が得られる。
【００１３】
本開示の一側面によれば、取得部は、車両の運転時における目的地までの移動経路を判別可能な経路データを更に取得するように構成されてもよい。更に、配信部は、経路データから判別される目的地までの移動経路に基づいて、配信する広告及び配信タイミングを決定するように構成されてもよい。
【００１４】
配信部は、経路データから判別される目的地までの移動経路に基づいて、予め定められた広告群の中から、配信する広告を選択するように構成されてもよい。移動経路に基づいた広告配信によれば、ユーザに対して一層効果の高い広告配信を実現することができる。
【００１５】
本開示の一側面によれば、履歴データには、車両乗員の構成に関するデータが含まれていてもよい。推定部は、運転者と共に行動する車両乗員の構成を加味して、運転者による特定行動の実行周期を推定するように構成されてもよい。特定行動の実行周期は、運転者が置かれている状況によって変化し得る。従って、車両乗員の構成を加味した推定は、精度のよい推定に役立つ。
【００１６】
本開示の一側面によれば、広告配信システムは、履歴データに基づき、運転者による車両の運転開始直後の立ち寄り行動の傾向を判定する判定部を更に備えていてもよい。配信部は、判定部により判定された傾向に基づく種類の広告を、運転者による運転開始時に配信するように構成されていてもよい。
【００１７】
本開示の一側面によれば、広告配信システムは、特定行動の実行を検出する検出部を備えていてもよい。配信部は、特定行動の実行が検知された時点を基準に、推定された実行周期に基づく次の広告の配信タイミングを決定するように構成されていてもよい。こうした決定によれば、適切なタイミングで次の広告配信を行うことができる。
【００１８】
本開示の一側面によれば、広告配信システムが有する機能の一部又は全部を、コンピュータに実現させるためのコンピュータプログラムが提供されてもよい。上述した広告配信システムにおける取得部と、推定部と、配信部としてコンピュータを機能させるためのコンピュータプログラムが提供されてもよい。コンピュータプログラムは、コンピュータ読取可能な一時的でない記録媒体に格納されてもよい。
【００１９】
本開示の一側面によれば、上述した広告配信システムにおいて実現される手順の一部又は全部を備える広告配信方法が提供されてもよい。
【００２０】
本開示の一側面によれば、車両内の装置に広告を配信するための広告配信方法であって、コンピュータが、運転者による車両の運転履歴を表す履歴データを取得することと、取得した履歴データを解析して、運転者による特定行動の実行周期を推定することと、推定した実行周期に基づいて、運転者による車両の運転時における特定行動に関する広告の配信タイミングを決定することと、決定した配信タイミングで、広告を車両内の装置に向けて配信することと、を含む広告配信方法が提供されてもよい。この広告配信方法も、上述した広告配信システムと同様の効果を奏する。
【図面の簡単な説明】
【００２１】
【図１】本開示の例示実施形態に係るシステムの概略構成を表すブロック図である。
【図２】広告配信システムの概略構成を表すブロック図である。
【図３】ユーザ装置の概略構成を表すブロック図である。
【図４】ユーザ装置のプロセッサが実行する広告出力処理を表すフローチャートである。
【図５】ユーザ装置のプロセッサが実行する位置送信処理を表すフローチャートである。
【図６】ユーザ装置のプロセッサが実行する通知制御処理を表すフローチャートである。
【図７】広告配信システムのプロセッサが実行する通知受付処理を表すフローチャートである。
【図８】行動履歴データの構成を表す図である。
【図９】広告配信システムのプロセッサが実行する配信制御処理を表すフローチャートである。
【図１０】変形例の配信制御処理の一部を表すフローチャートである。
【発明を実施するための形態】
【００２２】
以下に本開示の例示的実施形態を、図面を参照しながら説明する。
図１に示す本実施形態の通信システム１は、広告配信サービスを提供する事業者側システムとしての広告配信システム１０と、広告データ１３１Ａを受信する複数のユーザ装置７０とを備える。
【００２３】
この広告配信サービスで配信される広告データ１３１Ａは、車両５０で移動する消費者向けの広告コンテンツを含む。この広告コンテンツは、ユーザ装置７０から、画像及び音声の少なくとも一方の形態で、運転者又は車両乗員としてのユーザに提供される。車両５０の例には、四輪自動車が含まれる。
【００２４】
ユーザ装置７０のそれぞれは、予め利用登録がなされたユーザが所有する電子機器、特には通信機能を有する電子機器である。電子機器の例には、車両５０に搭載されたカーナビゲーション装置、及び、同種の機能を有する他の電子機器が含まれる。他の電子機器の例には、車両５０内に持ち込み可能なナビゲーションシステムを有する電子機器が含まれ、該当する電子機器には、スマートフォン及びタブレット端末等の携帯端末が含まれる。
【００２５】
詳述すると、広告配信システム１０は、保有する広告データ１３１Ａの一群に基づき、広域ネットワークＮＴ１を通じて、複数のユーザ装置７０のそれぞれに、個別の広告データ１３１Ａを個別のタイミングで配信するように構成される。
【００２６】
図２に示すように、広告配信システム１０は、プロセッサ１１、メモリ１２、ストレージ１３、及び、通信インタフェース１９を備える。プロセッサ１１は、ストレージ１３に記録されたコンピュータプログラムに従う処理を実行するように構成される。
【００２７】
メモリ１２は、主記憶装置であり、プロセッサ１１によるコンピュータプログラムに従う処理実行時に、作業用メモリとして機能する。ストレージ１３は、補助記憶装置であり、例えばハードディスクドライブにより構成される。通信インタフェース１９は、ユーザ装置７０と通信可能に構成される。
【００２８】
ストレージ１３は、広告データ１３１Ａの一群が登録された広告データベース１３１と、複数のユーザに関する管理情報が記録されたユーザ管理データベース１３３とを備える。
【００２９】
広告データベース１３１は、広告コンテンツ毎に、広告データ１３１Ａを備える。各広告データ１３１Ａは、コンテンツＩＤに関連付けて、広告コンテンツ本体と、広告コンテンツのカテゴリや対応する施設を説明する付属データと、を備える。ここでいう施設の例には、規模に限定されない大小の店舗、商業施設、及び観光施設等が含まれる。
【００３０】
ユーザ管理データベース１３３は、ユーザ毎に、ユーザ管理データ１３３Ａを備える。ユーザ管理データ１３３Ａは、ユーザＩＤに関連付けて、ユーザの属性を表す属性データ、ユーザの行動履歴を表す行動履歴データ、及び、行動履歴データに基づくユーザの特徴を表す特徴データを備える。特徴データには、ユーザの休憩周期（詳細後述）の情報が含まれる。
【００３１】
プロセッサ１１は、コンピュータプログラムに従う処理を実行することにより、広告配信に必要な情報をユーザ装置７０から収集し、ユーザ装置７０に対して、ユーザの状況によく適合した広告データ１３１Ａを配信するように動作する（詳細後述）。
【００３２】
ユーザ装置７０は、車両５０内において、車内ネットワークＮＴ２を通じて車載システム５１と接続され、車載システム５１と連携しながら、ユーザに対して、広告配信システム１０から受信した広告データ１３１Ａに含まれる広告コンテンツを画像及び音声の形態で出力するように動作する。
【００３３】
図３に示すように、ユーザ装置７０は、プロセッサ７１と、メモリ７２と、ストレージ７３と、ＧＰＳ受信機７５と、入力インタフェース７６と、スピーカ７７と、ディスプレイ７８と、通信インタフェース７９と、を備える。
【００３４】
プロセッサ７１は、ストレージ７３に記録されたコンピュータプログラムに従う処理を実行するように構成される。メモリ７２は、主記憶装置であり、プロセッサ７１によるコンピュータプログラムに従う処理実行時に、作業用メモリとして機能する。ストレージ７３は、補助記憶装置であり、例えば、フラッシュメモリにより構成される。
【００３５】
ＧＰＳ受信機７５は、ＧＰＳ衛星から受信したＧＰＳ衛星信号に基づき、現在位置を計測し、その計測位置を表す位置データをプロセッサ７１に提供するように構成される。入力インタフェース７６は、ユーザからの操作信号をプロセッサ７１に入力するように構成される。具体的に、入力インタフェース７６は、ディスプレイ７８上のタッチパネル、メカニカルなキースイッチ、及び、音声操作用のマイクロフォンを備える。
【００３６】
スピーカ７７は、プロセッサ７１により制御されて、各種音声を出力するように構成される。ディスプレイ７８は、例えば、液晶ディスプレイであり、プロセッサ７１に制御されて、操作画面、ナビゲーション画面、メッセージ画面等の各種画面を、ユーザに向けて表示するように構成される。
【００３７】
通信インタフェース７９は、広告配信システム１０と広域ネットワークＮＴ１を通じて無線通信可能な構成され、更には、車内ネットワークＮＴ２を通じて、車載システム５１と無線通信可能に構成される。
【００３８】
車載システム５１は、車両５０の駐停車及び運転開始に関する情報、並びに、車両乗員の構成に関する情報等の、ユーザ装置７０が自ら直接取得できない情報を、ユーザ装置７０が車載システム５１から間接的に取得するために利用される。
【００３９】
続いて、ユーザ装置７０のプロセッサ７１が、広告コンテンツの出力のために実行する処理の詳細を説明する。プロセッサ７１は、ユーザ装置７０に予めインストールされたコンピュータプログラムに従って、図４に示す広告出力処理を繰返し実行する。コンピュータプログラムは、ユーザ装置７０の出荷時にプリインストールされてもよいし、ダウンロードサイトを通じてユーザ装置７０にインストールされてもよい。
【００４０】
ユーザ装置７０がカーナビゲーション装置である場合、プロセッサ７１は、電力供給を受けている間、繰返し広告出力処理を実行することができる。ユーザ装置７０がスマートフォンなどの車両５０内に持ち込まれる携帯型の電子機器である場合、プロセッサ７１は、ユーザ装置７０が車載システム５１と車内ネットワークＮＴ２を通じて接続されている期間、広告出力処理を繰返し実行することができる。別例として、プロセッサ７１は、ユーザから入力インタフェース７６を通じて広告出力処理の開始指示が入力されたことを条件に、終了指示が入力されるまでの間、広告出力処理を繰返し実行することができる。
【００４１】
プロセッサ７１は、広告出力処理の繰返し実行を開始する前の初期処理として、広告配信システム１０にユーザの識別情報である上記ユーザＩＤを送信し、広告配信システム１０とユーザ装置７０との接続を確立することができる。
【００４２】
図４に示す広告出力処理を開始すると、プロセッサ７１は、広告データ１３１Ａを広告配信システム１０から受信するまで待機する（Ｓ１１０）。広告データ１３１Ａを受信すると（Ｓ１１０でＹｅｓ）、プロセッサ７１は、受信した広告データ１３１Ａに含まれる広告コンテンツを、スピーカ７７及びディスプレイ７８を通じて、音声及び画像の形態で、車両５０内のユーザ、すなわち車両乗員に向けて出力する（Ｓ１２０）。
【００４３】
例えば、プロセッサ７１は、スピーカ７７を通じて『Ａ店舗でＢキャンペーンを実施中です。ご利用しませんか？』との音声が出力されるように、スピーカ７７に対して音声信号を出力する処理を実行することができる。プロセッサ７１は、この音声の出力に合わせて、対応するメッセージが画像の形態、特には文字の形態で表示されるように、ディスプレイ７８を制御することができる。プロセッサ７１は、Ｓ１１０〜Ｓ１２０の処理を、終了条件が満足されるまで繰返し実行する。
【００４４】
更に、プロセッサ７１は、広告配信システム１０が配信対象の広告データ１３１Ａを決定するに必要な情報として、車両５０の位置データを、広告配信システム１０に送信する処理を、広告出力処理とは並列に実行する。
【００４５】
具体的に、プロセッサ７１は、広告配信システム１０からの位置データの要求信号に応じて、図５に示す位置送信処理を実行する。この位置送信処理において、プロセッサ７１は、ＧＰＳ受信機７５から位置データを取得し、この位置データを、車両５０の位置データとして、広告配信システム１０に送信する（Ｓ２１０）。
【００４６】
更に、プロセッサ７１は、ユーザ装置７０のナビゲーション機能により目的地までの案内経路が設定されているか否かを判断し（Ｓ２２０）、案内経路が設定されている場合には（Ｓ２２０でＹｅｓ）、目的地までの案内経路を判別可能な経路データを、広告配信システム１０に送信する（Ｓ２３０）。この位置送信処理により、広告配信システム１０には、車両５０の位置データ、及び、経路データが提供される。
【００４７】
また、プロセッサ７１は、外出イベントが発生すると、図６に示す通知制御処理を開始し、外出時に発生した車両運転に関するイベントを、広告配信システム１０に通知する。具体的に、プロセッサ７１は、車両５０が予め登録された出発地からの移動を開始したことを、ＧＰＳ受信機７５からの位置データに基づいて検知すると、図６に示す通知制御処理を開始する。
【００４８】
予め登録された出発地は、自宅及び／又は勤務地として予め登録された地点を意味する。出発地の登録情報は、例えば、ストレージ７３に記憶される。あるいは、広告配信システム１０において記憶され、接続確立時に、広告配信システム１０からユーザ装置７０に提供される。
【００４９】
通知制御処理を開始すると、プロセッサ７１は、出発イベントの発生を広告配信システム１０に通知する（Ｓ３１０）。この通知動作により、ユーザ装置７０から広告配信システム１０には、出発イベントの通知データが広域ネットワークＮＴ１を通じて送信される。
【００５０】
出発イベントの通知データは、ユーザＩＤと共に、発生したイベントの種類として出発イベントを表す情報、イベント発生時刻としての出発時刻を表す情報、及び、イベント発生場所としての出発地の位置データを含む。時刻は、例えば、年、月、日、時、分、及び秒の形態で表される。ナビゲーション機能によりユーザ装置７０に目的地までの案内経路が設定されている場合には、目的地までの案内経路を判別可能な経路データが、更に通知データに含まれ得る。
【００５１】
その後、プロセッサ７１は、休憩イベントが発生したか否かを判断する（Ｓ３２０）。ここでいう休憩イベントの例には、出発地から目的地までの往路における施設への立ち寄りイベント、目的地から出発地への復路における施設への立ち寄りイベント、更には、目的地への訪問イベントが含まれる。
【００５２】
プロセッサ７１は、車載システム５１からの情報に基づいて、駐車イベントの発生を検知したときに、休憩イベントが発生したと判断することができる。より具体的には、プロセッサ７１は、駐車時間が所定時間（例えば５分）以上の駐車イベントが発生したときに、休憩イベントが発生したと判断することができる。
【００５３】
プロセッサ７１は、休憩イベントが発生していないと判断すると（Ｓ３２０でＮｏ）、Ｓ３５０に移行する。プロセッサ７１は、休憩イベントが発生したと判断すると（Ｓ３２０でＹｅｓ）、Ｓ３３０に移行する。
【００５４】
Ｓ３３０において、プロセッサ７１は、休憩イベントの発生を、広告配信システム１０に通知する。この通知動作により、ユーザ装置７０から広告配信システム１０には、休憩イベントの通知データが広域ネットワークＮＴ１を通じて送信される。
【００５５】
休憩イベントの通知データは、ユーザＩＤと共に、発生したイベントの種類として休憩イベントを表す情報、イベント発生時刻としての休憩開始時刻を表す情報、及び、イベント発生場所としての休憩地の位置データを含む。
【００５６】
その後、プロセッサ７１は、車両５０の運転が再開されるまで待機し、車両５０の運転が再開されると、運転再開イベントの発生を広告配信システム１０に通知する（Ｓ３４０）。
【００５７】
プロセッサ７１は、車載システム５１からの情報に基づいて、運転再開イベントの発生を検知することができる。あるいは、プロセッサ７１は、駐車地からの移動を、ＧＰＳ受信機７５からの位置データに基づいて判断することによって、運転再開イベントの発生を検知することができる。Ｓ３４０における通知動作により、ユーザ装置７０から広告配信システム１０には、運転再開イベントの通知データが広域ネットワークＮＴ１を通じて送信される。
【００５８】
運転再開イベントの通知データは、ユーザＩＤと共に、発生したイベントの種類として運転再開イベントを表す情報、イベント発生時刻として運転開始時刻を表す情報、及び、イベント発生場所としての休憩地の位置データを含む。ユーザ装置７０に目的地までの案内経路が設定されている場合には、目的地までの案内経路を判別可能な経路データが、更に通知データに含まれ得る。
【００５９】
Ｓ３４０の処理実行後、プロセッサ７１は、Ｓ３５０に移行する。Ｓ３５０において、プロセッサ７１は、外出が終了したか否かを判断する。ここでは、プロセッサ７１は、出発地に車両５０が戻った場合に、外出が終了したと判断することができる。プロセッサ７１は、ＧＰＳ受信機７５からの位置データに基づき、出発地に車両５０が戻ったことを判断することができる。
【００６０】
プロセッサ７１は、外出が終了していないと判断すると（Ｓ３５０でＮｏ）、Ｓ３２０に移行する。そして、次の休憩イベントが発生すると、Ｓ３３０に移行する。一方、プロセッサ７１は、外出が終了したと判断すると（Ｓ３５０でＹｅｓ）、Ｓ３６０に移行する。
【００６１】
Ｓ３６０において、プロセッサ７１は、到着イベントの発生を、広告配信システム１０に通知する。この通知動作により、ユーザ装置７０から広告配信システム１０には、到着イベントの通知データが広域ネットワークＮＴ１を通じて送信される。
【００６２】
到着イベントの通知データは、ユーザＩＤと共に、発生したイベントの種類として到着イベントを表す情報、イベント発生時刻として到着時刻を表す情報、及び、イベント発生場所としての到着地の位置データを含む。Ｓ３６０の処理実行後、プロセッサ７１は、図６に示す通知制御処理を終了する。
【００６３】
このようなユーザ装置７０に動作に対し、広告配信システム１０は、次のように動作する。すなわち、広告配信システム１０のプロセッサ１１は、ユーザ装置７０との接続確立後、ユーザ装置７０から送信される上述したイベントの通知データを処理するために、図７に示す通知受付処理を繰返し実行する。
【００６４】
図７に示す通知受付処理を開始すると、プロセッサ１１は、ユーザ装置７０から通知データを受信するまで待機する（Ｓ４１０）。通知データを受信すると（Ｓ４１０でＹｅｓ）、プロセッサ１１は、受信した通知データに基づいて、対応するユーザのユーザ管理データ１３３Ａに含まれる行動履歴データを更新する（Ｓ４２０）。行動履歴データは、出発イベント、休憩イベント、運転再開イベント、及び、到着イベントに関する行動履歴データである。
【００６５】
行動履歴データは、図８に示すように、イベント発生時刻、イベントの種類、及び、イベント発生場所の情報を含むレコードを、イベント毎に有する時系列データとして構成される。
【００６６】
Ｓ４２０において、プロセッサ１１は、受信した通知データが示すイベント発生時刻、イベントの種類、及び、イベント発生場所の情報を格納した新規レコードを作成することができる。そして、作成した新規レコードを行動履歴データに追加することにより、行動履歴データを更新することができる。
【００６７】
受信した通知データに経路データが含まれる場合、プロセッサ１１は、通知データに含まれる経路データを、配信対象の広告データ１３１Ａの選択のために、メモリ１２又はストレージ１３に一時記憶することができる。
【００６８】
Ｓ４２０での処理を終えると、プロセッサ１１は、通知データが、到着イベントの通知データであるか否かを判断する（Ｓ４３０）。プロセッサ１１は、通知データが、到着イベントの通知データではないと判断すると（Ｓ４３０でＮｏ）、通知受付処理を一旦終了する。
【００６９】
プロセッサ１１は、通知データが、到着イベントの通知データであると判断すると（Ｓ４３０でＹｅｓ）、Ｓ４４０に移行し、対応するユーザの行動履歴データ内のレコード群から、遠距離の移動を伴う外出イベントに関するレコード群を、解析対象のレコード群として抽出する（Ｓ４４０）。
【００７０】
プロセッサ１１は、Ｓ４４０において、出発イベントから到着イベントまでの車両５０の移動距離又は移動時間が所定距離又は所定時間以上である外出イベントに関する出発イベントから到着イベントまでの各イベントに関するレコード群を、解析対象のレコード群として抽出することができる。ここでいう移動時間は、出発時刻から到着時刻までの時間長から、休憩時間を除いた時間であり得る。休憩時間は、休憩開始時刻から運転開始時刻までの時間長である。
【００７１】
別例として、プロセッサ１１は、出発地から最も遠い休憩地までの距離が所定距離以上である外出イベントに関する出発イベントから到着イベントまでの各イベントに関するレコード群を、解析対象のレコード群として抽出することができる。
【００７２】
その後、プロセッサ１１は、解析対象のレコード群に基づき、ユーザの休憩周期を推定する（Ｓ４５０）。Ｓ４５０において、プロセッサ１１は、複数の外出イベントに関する解析対象のレコード群を参照して、出発イベントの発生時刻から最初の休憩イベントの発生時刻までの時間間隔Ｔ１、及び、休憩イベント毎の、運転開始イベントの発生時刻から次の休憩イベントの発生時刻までの時間間隔Ｔ２を算出することができる。
【００７３】
Ｓ４５０において、プロセッサ１１は更に、時間間隔Ｔ１，Ｔ２の算出値の一群のうち、予め定められた基準値（例えば２０分）未満の算出値を、休憩周期の推定に用いる算出値から除外して、残りの算出値から、休憩周期の推定値ＴＢを算出することにより、休憩周期を推定する。
【００７４】
例えば、プロセッサ１１は、基準値以上の値を示す時間間隔Ｔ１，Ｔ２の平均値を、休憩周期の推定値ＴＢとして算出することができる。あるいは、プロセッサ１１は、基準値以上の時間間隔Ｔ１，Ｔ２の度数分布における最頻値を、休憩周期の推定値ＴＢとして算出することができる。
【００７５】
あるいは、プロセッサ１１は、基準値以上の時間間隔Ｔ１，Ｔ２の中央値を、休憩周期の推定値ＴＢとして算出することができる。更なる別例として、プロセッサ１１は、時間間隔Ｔ１を考慮せず、基準値以上の値を示す時間間隔Ｔ２の平均値、最頻値、又は中央値を、休憩周期の推定値ＴＢとして算出することができる。
【００７６】
Ｓ４５０における推定後、プロセッサ１１は、解析対象のレコード群に基づき、出発直後に立ち寄り行動をとる傾向の有無を判別する（Ｓ４６０）。例えば、プロセッサ１１は、解析対象のレコード群に対応する外出イベントの数に対して、時間間隔Ｔ１が閾値（例えば１５分）未満の外出イベントの割合が、所定割合以上であるとき、出発直後に立ち寄り行動をとる傾向が「有る」と判別し、それ以外の場合には、立ち寄り傾向が「無い」と判別する。
【００７７】
立ち寄り行動をとる傾向が「有る」と判別した場合、プロセッサ１１は、更に、立ち寄り施設のカテゴリを判別する（Ｓ４６０）。例えば、カテゴリの例には、「コンビニエンスストア」「スーパーマーケット」「ベーカリー」「コーヒーショップ」などが含まれる。
【００７８】
その後、プロセッサ１１は、Ｓ４５０で算出した休憩周期の推定値ＴＢを表す情報、並びに、Ｓ４６０で判別した、出発直後に立ち寄り行動をとる傾向の有無を表す情報、及び、立ち寄り施設のカテゴリを表す情報を格納するように、対応するユーザ管理データ１３３Ａ内の特徴データを更新し（Ｓ４７０）、当該通知受付処理を終了する。プロセッサ１１は、このようなステップを含む通知受付処理を繰返し実行する。
【００７９】
この他、プロセッサ１１は、ユーザ装置７０との接続確立後、ユーザ装置７０への広告配信のために、図９に示す配信制御処理を繰返し実行する。
【００８０】
配信制御処理を開始すると、プロセッサ１１は、ユーザの車両５０が出発地からの移動を開始したか否かを判断する（Ｓ５１０）。プロセッサ１１は、ユーザ装置７０から出発イベントの通知データを受信すると、出発地からの移動を開始したと判断することができる（Ｓ５１０）。
【００８１】
出発地からの移動を開始したと判断すると（Ｓ５１０でＹｅｓ）、プロセッサ１１は、対応するユーザのユーザ管理データ１３３Ａ内の特徴データを参照して、特徴データが示す休憩周期の推定値ＴＢに一致する時間間隔に、広告データ１３１Ａの配信間隔ＴＣを決定する（Ｓ５２０）。すなわち、配信間隔ＴＣ＝ＴＢに決定する。
【００８２】
更に、プロセッサ１１は、特徴データを参照して、ユーザが出発直後に立ち寄り行動をとる傾向があるかどうかを判断する（Ｓ５３０）。ここで、傾向があると判断すると（Ｓ５３０でＹｅｓ）、プロセッサ１１は、特徴データを参照して、傾向に従う立ち寄り施設の広告コンテンツを含む広告データ１３１Ａを配信する（Ｓ５４０）。その後、Ｓ５５０に移行する。
【００８３】
Ｓ５４０において、プロセッサ１１は、特徴データが示す立ち寄り施設のカテゴリに合致するカテゴリの広告コンテンツを含む広告データ１３１Ａの一群を、広告データベース１３１から抽出し、抽出した広告データ１３１Ａの一群の中から、配信対象の広告データ１３１Ａを一つ選択することができる。
【００８４】
広告データ１３１Ａのそれぞれが有する付属データは、対応する広告データ１３１Ａに含まれる広告コンテンツのカテゴリ、及び、広告コンテンツに対応する施設の位置を示す。例えば、コンビニエンスストアであるＯストアを広告する広告コンテンツを含む広告データ１３１Ａ内の付属データは、広告コンテンツのカテゴリとして「コンビニエンスストア」を示し、Ｏストアの位置情報を含む。
【００８５】
プロセッサ１１は、この広告データ１３１Ａが示す施設の位置情報に従って、抽出した広告データ１３１Ａの一群から、車両５０の出発地の周辺に位置する施設の広告データ１３１Ａを、配信対象の広告データ１３１Ａに選択する。該当する広告データ１３１Ａが複数存在する場合、プロセッサ１１は、ランダムに、あるいは、所定の選択ルールに従って、配信対象の広告データ１３１Ａを選択することができる。
【００８６】
プロセッサ１１は、Ｓ５３０において否定判断すると、Ｓ５４０の処理を実行せずに、Ｓ５５０に移行する。Ｓ５５０において、プロセッサ１１は、リセットされた時点からの経過時間を計測するタイマーをリセットする。その後、Ｓ５６０に移行する。
【００８７】
Ｓ５６０において、プロセッサ１１は、タイマーを参照し、タイマーが示すリセット時からの経過時間が、Ｓ５２０で決定した配信間隔ＴＢを超えたか否かを判断する。経過時間が配信間隔ＴＢを超えていると判断すると（Ｓ５６０でＹｅｓ）、プロセッサ１１は、ユーザ装置７０に位置データの要求信号を送信して、ユーザ装置７０から車両５０の位置データ及び経路データを取得する（Ｓ５６１）。
【００８８】
その後、プロセッサ１１は、取得した位置データ及び経路データから判別される車両５０の現在位置から目的地までの案内経路に基づいて、広告データベース１３１内から、ユーザが休憩に利用可能な施設の広告コンテンツを含む広告データ１３１Ａの一つを配信対象に選択し、選択した広告データ１３１Ａを、ユーザ装置７０に送信する（Ｓ５６５）。
【００８９】
例えば、プロセッサ１１は、目的地までの案内経路に沿って位置する、現在位置周辺の休憩に利用可能な施設の広告データ１３１Ａの一群を、広告データベース１３１から抽出し、抽出した広告データ１３１Ａの一群の中から、配信対象の広告データ１３１Ａを、ランダムに、あるいは、所定の選択ルールに従って一つ選択する。選択ルールに従う選択の例には、ユーザの関心カテゴリを加味した選択や、車両５０の車両乗員数を加味した選択が含まれる。
【００９０】
プロセッサ１１は、ユーザ装置７０において案内経路が設定されておらず、ユーザ装置７０から経路データを取得することができなかった場合、車両５０の現在位置より進路前方に位置する現在位置周辺の施設の広告データ１３１Ａの一群を、広告データベース１３１から抽出し、抽出した広告データ１３１Ａの一群の中から、配信対象の広告データ１３１Ａを、ランダムに、あるいは、所定の選択ルールに従って一つ選択することができる。
【００９１】
Ｓ５６５における処理実行後、プロセッサ１１は、Ｓ５５０に移行して、タイマーをリセットし、その後、Ｓ５６０に移行する。プロセッサ１１は、Ｓ５６０において、経過時間が配信間隔ＴＢを超えていないと判断すると（Ｓ５６０でＮｏ）、Ｓ５７０に移行し、休憩イベントが発生したか否かを判断する。
【００９２】
プロセッサ１１は、ユーザ装置７０から休憩イベントの通知データを受信している場合、Ｓ５７０において肯定判断する。その後、ユーザ装置７０から運転再開イベントの通知データを受信するまで待機する（Ｓ５７５）。運転再開イベントの通知データを受信すると、プロセッサ１１は、Ｓ５５０に移行して、タイマーをリセットすることにより、休憩終了時からの経過時間がタイマーにより計測されるようにする。
【００９３】
この他、プロセッサ１１は、ユーザ装置７０から休憩イベントの通知データを受信しておらず、Ｓ５７０で否定判断すると、広告配信の終了条件が満足されたか否かを判断する（Ｓ５８０）。プロセッサ１１は、例えば到着イベントの通知データを受信すると、終了条件が満足されたと判断することができる。
【００９４】
プロセッサ１１は、終了条件が満足されていないと判断すると（Ｓ５８０でＮｏ）、Ｓ５６０に移行する。これにより、プロセッサ１１は、配信間隔ＴＢに対応する時間が経過するか、休憩イベントが発生するか、終了条件が満足されるまで、Ｓ５６０，Ｓ５７０，Ｓ５８０の処理を繰返し実行する。そして、終了条件が満足されたと判断すると（Ｓ５９０でＹｅｓ）、図９に示す配信制御処理を終了する。
【００９５】
上述した手順を含む配信制御処理を、プロセッサ１１が実行することにより、休憩イベントが発生しない場合には、配信間隔ＴＢに対応する時間が経過するごとに、広告データ１３１Ａが、ユーザ装置７０に配信される。休憩イベントが発生した場合には、その休憩イベントの終了時から配信間隔ＴＢに対応する時間が経過したときに、広告データ１３１Ａが、ユーザ装置７０に配信される。
【００９６】
以上に説明した本実施形態の広告配信システム１０によれば、ユーザの行動履歴データに基づいて、ユーザの休憩周期が推定される。そして、推定された休憩周期に一致した配信間隔ＴＣで、ユーザ装置７０に対して広告データ１３１Ａが配信され、広告コンテンツが、音声及び画像の形態でユーザに出力される。
【００９７】
従って、広告コンテンツとして、休憩に関連する広告コンテンツ、具体的には、休憩に利用可能な施設（サービスエリア、コンビニエンスストア及びレストラン等）に関する広告コンテンツを、ユーザの関心が高まる周期で配信することができる。特に本実施形態では、車両５０での案内経路に沿う施設の広告コンテンツを配信するので、高い広告効果が期待される。
【００９８】
また、休憩イベントが発生した場合には、上記タイマーのリセットにより、休憩イベントが検知された時点を基準に、次の広告データ１３１Ａの配信タイミングが決定されるので、休憩に関する広告データ１３１Ａを、過去の休憩行動に基づいて適切なタイミングで配信することができる。
【００９９】
この他、本実施形態では、出発直後の立ち寄り行動の傾向が判定され（Ｓ４６０）、出発時には、すなわちユーザによる運転開始時には、当該傾向に基づく種類の広告データ１３１Ａが配信される（Ｓ５４０）。従って、ユーザの広告に対する感度が高いときに、広告コンテンツを出力することができ、広告効果の面で、大変有意義である。
【０１００】
続いて、上述した通信システム１の変形例を説明する。広告配信システム１０のプロセッサ１１は、配信制御処理として、図９に示すＳ５１０〜Ｓ５４０の処理を実行した後、図１０に示すＳ６１０〜Ｓ６５０の処理を実行するように構成されてもよい。
【０１０１】
即ち、プロセッサ１１は、Ｓ５４０の処理実行後、Ｓ５２０で決定された配信間隔ＴＣだけ現在時刻から進んだ時刻を、次回の広告配信時刻に設定し（Ｓ６１０）、その後、Ｓ６２０以降の処理を実行することができる。
【０１０２】
Ｓ６２０において、プロセッサ１１は、広告選択タイミングが到来したか否かを判断する。広告選択タイミングは、Ｓ６１０で設定された広告配信時刻よりも所定時間（例えば、１５分）前の時刻である。すなわち、プロセッサ１１は、Ｓ６１０で設定された次回の広告配信時刻よりも所定時間前に、広告選択タイミングが到来したと判断する。
【０１０３】
広告選択タイミングが到来したと判断すると（Ｓ６２０でＹｅｓ）、プロセッサ１１は、ユーザ装置７０に位置データの要求信号を送信して、ユーザ装置７０から車両５０の位置データ及び経路データを取得する（Ｓ５６１）。
【０１０４】
その後、プロセッサ１１は、取得した位置データ及び経路データから判別される車両５０の現在位置から目的地までの案内経路に基づいて、広告データベース１３１内から、ユーザが休憩に利用可能な施設の広告コンテンツを含む広告データ１３１Ａの一つを配信対象に選択する（Ｓ６２３）。
【０１０５】
Ｓ６２３において、プロセッサ１１は、Ｓ５６５の処理と同様に、案内経路に沿う施設の広告データ１３１Ａを、配信対象に選択することができる。但し、Ｓ６２３の実行時期は、広告配信時刻よりも余裕をもって所定時間前に行われることから、プロセッサ１１は、Ｓ５６５よりも広い地域で、ユーザにとって最適な施設に対応する広告データ１３１Ａを、配信対象に選択することができる。
【０１０６】
その後、プロセッサ１１は、選択した配信対象の広告データ１３１Ａに対応する施設を車両５０が通過する時刻を推定し、その推定時刻より少し前の時刻（例えば５分前）に、現在設定されている広告配信時刻を修正する（Ｓ６２５）、その後、Ｓ６３０に移行する。
【０１０７】
プロセッサ１１は、Ｓ６２０において、広告選択タイミングが到来してないと判断すると（Ｓ６２０でＮｏ）、Ｓ６３０に移行し、Ｓ５７０での処理と同様に、休憩イベントが発生したか否かを判断する。
【０１０８】
そして、休憩イベントが発生したと判断すると（Ｓ６３０でＹｅｓ）、プロセッサ１１は、ユーザ装置７０から運転再開イベントの通知データを受信するまで待機し（Ｓ６３５）。その後、Ｓ６１０に移行する。Ｓ６１０において、プロセッサ１１は、Ｓ５２０で決定された配信間隔ＴＣだけ現在時刻から進んだ時刻を、次回の広告配信時刻に再設定する。その後、Ｓ６２０以降の処理を実行する。
【０１０９】
プロセッサ１１は、休憩イベントが発生していないと判断すると（Ｓ６３０でＮｏ）、Ｓ６４０に移行し、広告配信時刻が到来したか否かを判断する。ここで、広告配信時刻が到来したと判断すると（Ｓ６４０でＹｅｓ）、プロセッサ１１は、Ｓ６２３で選択された配信対象の広告データ１３１Ａを、ユーザ装置７０に送信する（Ｓ６４５）。その後、Ｓ６１０に移行する。
【０１１０】
この他、プロセッサ１１は、広告配信時刻が到来していないと判断すると（Ｓ６４０でＮｏ）、Ｓ５８０での処理と同様に、広告配信の終了条件が満足されたか否かを判断する（Ｓ６５０）。そして、終了条件が満足されていないと判断すると、Ｓ６２０に移行する。
【０１１１】
このようにして、プロセッサ１１は、広告選択タイミングが到来するか、休憩イベントが発生するか、広告配信時刻が到来するか、終了条件が満足されるまでＳ６２０，Ｓ６３０，Ｓ６４０，Ｓ６５０の処理を繰返し実行する。そして、広告配信の終了条件が満足されたと判断すると（Ｓ６５０でＹｅｓ）、図１０に示す配信制御処理を終了する。
【０１１２】
上記変形例によれば、配信対象の広告データ１３１Ａが、車両５０の移動経路を考慮して、事前に選択され、対応する施設を通過する前の適切なタイミングでユーザ装置７０に送信される。これにより、より適切なタイミングで広告コンテンツがユーザ装置７０を通じてユーザに出力される。
【０１１３】
このように、変形例では、経路データから判別される目的地までの移動経路に基づいて、配信する広告及び配信タイミングが決定されるので、広告配信に関して高い広告効果を得ることができる。
【０１１４】
以上に、変形例を含む本開示の例示的実施形態を説明したが、本開示の技術は、上述した実施形態に限定されるものではなく、種々の態様を採ることができる。
【０１１５】
例えば、Ｓ４５０（図７参照）において、休憩周期は、外出日の種類毎に推定されてもよい。例えば、Ｓ４５０では、平日の外出イベントに関するレコード群に基づき、平日の休憩周期が推定されてもよく、更に、休日の外出イベントに関するレコード群に基づき、休日の休憩周期が推定されてもよい。同様に、Ｓ４６０では、平日の外出イベントに関するレコード群に基づき、平日の立ち寄り行動に関する傾向が判別されてもよく、休日の外出イベントに関するレコード群に基づき、休日の立ち寄り行動に関する傾向が判別されてもよい。
【０１１６】
この他、Ｓ４５０，Ｓ４６０の処理に代えて、図７に示すＳ７５０，Ｓ７６０の処理が実行されてもよい。Ｓ７５０において、プロセッサ１１は、解析対象のレコード群を、外出時の車両乗員の構成毎に分けて、乗員構成毎に、その乗員構成での休憩周期を推定してもよい。
【０１１７】
例えば、ユーザが一人で車両５０を運転して外出したときのレコード群に基づき、一人で行動するときの休憩周期が推定され得る。更に、ユーザが同行者と複数人で外出したときのレコード群に基づき、複数人で行動するときの休憩周期が推定され得る。同様に、Ｓ７６０において、プロセッサ１１は、乗員構成毎に、その乗員構成での立ち寄り行動の傾向を判別してもよい。
【０１１８】
Ｓ７５０での処理に対応して、プロセッサ１１は、Ｓ５２０の処理に代えて、図９に示すＳ８２０の処理を実行してもよい。Ｓ８２０において、プロセッサ１１は、対応するユーザ管理データ１３３Ａ内の特徴データを参照して、現在の車両５０の乗員構成での休憩周期の推定値ＴＢを特徴データから読み出し、読み出した推定値ＴＢに配信間隔ＴＣを設決定することができる。同様に、Ｓ７６０での処理に対応して、プロセッサ１１は、現在の車両５０の乗員構成での立ち寄り施設の傾向を読み出し、Ｓ５３０，Ｓ５４０の処理を実行してもよい。
【０１１９】
これらの例を実施する際には、ユーザ装置７０が、広告配信システム１０に対して、車両乗員の構成（例えば乗員数）を表すデータを、送信するように構成され得る。このデータは、出発イベントの通知データに格納され、行動履歴データに記録され、更には、配信制御処理に用いられ得る。
【０１２０】
この他、上記実施形態における１つの構成要素が有する機能は、複数の構成要素に分散して設けられてもよい。複数の構成要素が有する機能は、１つの構成要素に統合されてもよい。上記実施形態の構成の一部は、省略されてもよい。上記実施形態の構成の少なくとも一部は、他の上記実施形態の構成に対して付加又は置換されてもよい。特許請求の範囲に記載の文言から特定される技術思想に含まれるあらゆる態様が本開示の実施形態である。
【０１２１】
最後に対応関係を説明する。プロセッサ１１が実行するＳ４２０，Ｓ５６１の処理は、取得部によって実現される処理の一例に対応する。プロセッサ１１が実行するＳ４５０，Ｓ７５０の処理は、推定部によって実現される処理の一例に対応する。プロセッサ１１が実行するＳ４６０，Ｓ７６０の処理は、判定部によって実現される処理の一例に対応する。プロセッサ１１が実行する図９及び図１０に示す配信制御処理は、配信部によって実現される処理の一例に対応する。プロセッサ１１が実行するＳ５７０，Ｓ６３０の処理は、検出部によって実現される処理の一例に対応する。
【符号の説明】
【０１２２】
１…通信システム、１０…広告配信システム、１１…プロセッサ、１２…メモリ、１３…ストレージ、１９…通信インタフェース、５０…車両、５１…車載システム、７０…ユーザ装置、７１…プロセッサ、７２…メモリ、７３…ストレージ、７５…ＧＰＳ受信機、７６…入力インタフェース、７７…スピーカ、７８…ディスプレイ、７９…通信インタフェース、１３１…広告データベース、１３１Ａ…広告データ、１３３…ユーザ管理データベース、１３３Ａ…ユーザ管理データ、ＮＴ１…広域ネットワーク、ＮＴ２…車内ネットワーク。
【要約】
【課題】運転者の傾向に基づいて、車両内の装置に効果的に広告を配信する。
【解決手段】本開示の一側面に係る車両内の装置に広告を配信するための広告配信方法では、運転者による車両の運転履歴を表す履歴データが取得される（Ｓ４２０）。取得された履歴データが解析され、運転者による特定行動の実行周期が推定される（Ｓ４５０）。更に、推定された実行周期に基づいて、運転者による車両の運転時における特定行動に関する広告の配信タイミングが決定され、決定された配信タイミングで、広告が車両内の装置に向けて配信される。
【選択図】図７【図１】
0006748272.tif 000002
【図２】
0006748272.tif 000003
【図３】
0006748272.tif 000004
【図４】
0006748272.tif 000005
【図５】
0006748272.tif 000006
【図６】
0006748272.tif 000007
【図７】
0006748272.tif 000008
【図８】
0006748272.tif 000009
【図９】
0006748272.tif 000010
【図１０】
0006748272.tif 000011